【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
複数の冷媒回路を有した室内熱交換器及び室外熱交換器を含んで構成される冷凍サイクルを備えた空気調和機であって、
前記室内熱交換器及び室外熱交換器の少なくとも一方に、冷媒回路切換弁を併設し、
前記冷媒回路切換弁は、前記各冷媒回路の内の最上流側冷媒回路および最下流側冷媒回路にそれぞれ連通する第１および第２のポートと、冷房運転と暖房運転の切換による前記冷凍サイクル内の冷媒の流れ方向の切換に基づくこれらのポートの圧力差によって移動されて、前記各冷媒回路を直列接続と並列接続とに切り換え、前記室内熱交換器及び／又は室外熱交換器のパス数を変える弁体とを備えることを特徴とする空気調和機。
【請求項２】
前記冷媒回路切換弁は、冷房運転時に前記各冷媒回路を流れる冷媒の流れが前記熱交換器に向かう空気の流れと対向し、前記暖房運転時に前記各冷媒回路を流れる冷媒の流れが前記空気の流れと並向するよう切換作動することを特徴とする請求項１に記載の空気調和機。
【請求項３】
複数の冷媒回路を有した室内熱交換器及び室外熱交換器を含んで構成される冷凍サイクルを備えた空気調和機であって、
前記室内熱交換器に冷媒回路切換弁を併設し、
前記冷媒回路切換弁は、前記各冷媒回路の内の最上流側冷媒回路および最下流側冷媒回路にそれぞれ連通する第１および第２のポートと、冷房運転と再熱除湿運転時あるいは暖房運転と再熱除湿運転時におけるこれらのポートの圧力差によって移動されて、前記各冷媒回路を直列接続と並列接続とに切り換え、前記室内熱交換器のパス数を変える弁体と、この弁体を固定する弁体固定手段とを備え、
前記室内熱交換器の各冷媒回路によって構成される回路中に流量制御弁を介在させたことを特徴とする空気調和機。
【請求項４】
冷媒として、Ｒ４１０ＡなどのＲ３２／１２５混合冷媒、Ｒ３２単体冷媒、二酸化炭素を使用することを特徴とする請求項１〜３のいずれか一つに記載の空気調和機。
【手続補正２】
【補正対象書類名】明細書
【補正対象項目名】０００９
【補正方法】変更
【補正の内容】
【０００９】
【課題を解決するための手段】
上記目的を達成するため、この発明にかかる空気調和機は、複数の冷媒回路を有した室内熱交換器及び室外熱交換器を含んで構成される冷凍サイクルを備えた空気調和機であって、前記室内熱交換器及び室外熱交換器の少なくとも一方に、冷媒回路切換弁を併設し、前記冷媒回路切換弁は、前記各冷媒回路の内の最上流側冷媒回路および最下流側冷媒回路にそれぞれ連通する第１および第２のポートと、冷房運転と暖房運転の切換による前記冷凍サイクル内の冷媒の流れ方向の切換に基づくこれらのポートの圧力差によって移動されて、前記各冷媒回路を直列接続と並列接続とに切り換え、前記室内熱交換器及び／又は室外熱交換器のパス数を変える弁体とを備えることを特徴とする。
【手続補正３】
【補正対象書類名】明細書
【補正対象項目名】００１０
【補正方法】変更
【補正の内容】
【００１０】
この発明によれば、前記冷媒回路切換弁が、前記各冷媒回路の内の最上流側冷媒回路および最下流側冷媒回路にそれぞれ連通する第１および第２のポートを有し、冷房運転と暖房運転時におけるこれらのポートの圧力差によって切換え作動して、前記熱交換器の各冷媒回路を直列接続と並列接続とに切り換える。つまり、１つの冷媒流回切換弁によって熱交換器のパス数を変える。
【手続補正４】
【補正対象書類名】明細書
【補正対象項目名】００１１
【補正方法】変更
【補正の内容】
【００１１】
つぎの発明にかかる空気調和機は、上記に発明において、前記冷媒回路切換弁は、冷房運転時に前記各冷媒回路を流れる冷媒の流れが前記熱交換器に向かう空気の流れと対向し、前記暖房運転時に前記各冷媒回路を流れる冷媒の流れが前記空気の流れと並向するよう切換作動することを特徴とする。
【手続補正５】
【補正対象書類名】明細書
【補正対象項目名】００１２
【補正方法】変更
【補正の内容】
【００１２】
この発明によれば、冷房運転時に前記各冷媒回路を流れる冷媒の流れが前記熱交換器に向かう空気の流れと対向するように、また、暖房運転時に前記各冷媒回路を流れる冷媒の流れが前記空気の流れと並向するよう前記冷媒回路切換弁が切換作動する。
【手続補正６】
【補正対象書類名】明細書
【補正対象項目名】００１３
【補正方法】変更
【補正の内容】
【００１３】
つぎの発明にかかる空気調和機は、複数の冷媒回路を有した室内熱交換器及び室外熱交換器を含んで構成される冷凍サイクルを備えた空気調和機であって、前記室内熱交換器に冷媒回路切換弁を併設し、前記冷媒回路切換弁は、前記各冷媒回路の内の最上流側冷媒回路および最下流側冷媒回路にそれぞれ連通する第１および第２のポートと、冷房運転と再熱除湿運転時あるいは暖房運転と再熱除湿運転時におけるこれらのポートの圧力差によって移動されて、前記各冷媒回路を直列接続と並列接続とに切り換え、前記室内熱交換器のパス数を変える弁体と、この弁体を固定する弁体固定手段とを備え、前記室内熱交換器の各冷媒回路によって構成される回路中に流量制御弁を介在させたことを特徴とする。
【手続補正７】
【補正対象書類名】明細書
【補正対象項目名】００１４
【補正方法】変更
【補正の内容】
【００１４】
この発明によれば、冷媒回路切換弁が、前記各冷媒回路の内の最上流側冷媒回路および最下流側冷媒回路にそれぞれ連通する第１および第２のポートを有し、冷房運転と再熱除湿運転時あるいは暖房運転と再熱除湿運転時におけるこれらのポートの圧力差によって移動されて、前記各冷媒回路を直列接続と並列接続とに切り換える。そして、前記弁体を弁体固定手段によって固定することができ、また、前記流量制御弁の流量制御に基づく圧力差を前記冷媒回路切換弁に作用させることができる。
【手続補正８】
【補正対象書類名】明細書
【補正対象項目名】００７３
【補正方法】変更
【補正の内容】
【００７３】
【発明の効果】
以上に説明したように、この発明によれば、室内熱交換器及び室外熱交換器の少なくとも一方に併設される冷媒回路切換弁が、対応する熱交換器の各冷媒回路の内の最上流側冷媒回路および最下流側冷媒回路にそれぞれ連通する第１および第２のポートと、冷房運転と暖房運転時におけるこれらのポートの圧力差によって移動されて、前記各冷媒回路を直列接続と並列接続とに切り換え、前記室内熱交換器及び／又は室外熱交換器のパス数を変える弁体とを備えた構成を有するので、冷房運転、暖房運転ともエネルギー効率の高い運転が可能であり、また、冷媒回路切換弁の構造が簡単になるので、その動作不良を減少して信頼性を向上することができるとともに、低コスト化、コンパクト化を図ることができる。加えて、冷媒圧力損失が十分に抑制して、エネルギー効率の高い運転を実現することができる。
【手続補正９】
【補正対象書類名】明細書
【補正対象項目名】００７４
【補正方法】変更
【補正の内容】
【００７４】
つぎの発明によれば、冷房運転時に前記各冷媒回路を流れる冷媒の流れが前記熱交換器に向かう空気の流れと対向するように、また、暖房運転時に前記各冷媒回路を流れる冷媒の流れが前記空気の流れと並向するよう前記冷媒回路切換弁が切換作動するので、冷房運転時および暖房運転時のいずれにおいても熱交換率を向上して各運転時のエネルギー効率を高めることができる。
【手続補正１０】
【補正対象書類名】明細書
【補正対象項目名】００７５
【補正方法】変更
【補正の内容】
【００７５】
つぎの発明によれば、室内熱交換器に併設される冷媒回路切換弁が、該交換器の各冷媒回路の内の最上流側冷媒回路および最下流側冷媒回路にそれぞれ連通する第１および第２のポートと、冷房運転と再熱除湿運転時あるいは暖房運転と再熱除湿運転時におけるこれらのポートの圧力差によって移動されて、前記各冷媒回路を直列接続と並列接続とに切り換え、前記室内熱交換器のパス数を変える弁体と、この弁体を固定する弁体固定手段とを備え、前記室内熱交換器の各冷媒回路によって構成される回路中に流量制御弁を介在させた構成を有するので、冷房運転または暖房運転ではエネルギー効率を図れ、また、再熱除湿運転ではより除湿能力を高めることができる。したがって、潜熱熱交換器能力と顕熱熱交換能力の制御範囲をより拡大することが可能になる。